(57)【要約】      （修正有）【課題】天板の折り畳みが簡略で、安全性に優れた折り畳み式卓球台を提供する。【解決手段】一対の天板１，１'の接合部分下面側に内折れ式蝶番２、２を取り付け、天板１，１'の下面に各々一対ずつの補強桟３，３'を取り付け、対向する部分に各々連結板４，４'を配置し、キャスター５，５'を備えた合計４個の主脚６，６'を連結板４，４'に一端を連結した連結棒７，７’の他端に連結し、主脚６，６'の上端側を各々つなぎ桟１３，１３’によりつなぎ、各要素の所要部分をピン結合として天板１，１'を内側に折り畳むように構成し、つなぎ桟１３，１３’に設けたプレート２６，２６’と、補強桟３，３間及び補強桟３’，３’間で金具３０，３０’との間に、天板１側で２個、天板１’側で２個の合計４個の伸縮式開閉補助手段２７，２７’の各両端を各々ピン結合により回動可能に配置した。【選択図】図１
0003128780.tif 000002
【実用新案登録請求の範囲】
【請求項１】
一対の天板１，１'の接合部分下面側に内折れ式蝶番２、２を取り付けるとともに、天板１，１'の下面に各々一対ずつの補強桟３，３'を取り付け、一方側の補強桟３，３'及び他方側の補強桟３，３'が対向する部分に各々連結板４，４'を配置し、各々下端にキャスター５，５'を備えた合計４個の主脚６，６'を連結板４，４'に一端を連結した連結棒７，７’の他端に連結するとともに、前記各主脚６，６'の上端側を各々つなぎ桟１３，１３’によりつなぎ、これら各要素の所要部分が自在に回動するようにピン結合として前記天板１，１'を内側に折り畳むようにした折り畳み式卓球台であって、
前記天板１の下面の補強桟３，３間及び前記天板１’の下面の補強桟３’，３’間を各々つなぐつなぎ桟１３，１３’と、前記補強桟３，３間及び補強桟３’，３’間で天板１，１'の下面に各々取り付けた金具３０，３０’との間に、天板１，１’各々の側にそれぞれ1個又は複数個の伸縮式開閉補助手段２７，２７’を各々ピン結合により配置したことを特徴とする折り畳み式卓球台。
【請求項２】
一対の天板１，１'の接合部分下面側に内折れ式蝶番２、２を取り付けるとともに、天板１，１'の下面に各々一対ずつの補強桟３，３'を取り付け、一方側の補強桟３，３'及び他方側の補強桟３，３'が対向する部分に各々連結板４，４'を配置し、各々下端にキャスター５，５'を備えた合計４個の主脚６，６'を連結板４，４'に一端を連結した連結棒７，７’の他端に連結するとともに、前記各主脚６，６'の上端側を各々つなぎ桟１３，１３’によりつなぎ、これら各要素の所要部分が自在に回動するようにピン結合として前記天板１，１'を内側に折り畳むようにした折り畳み式卓球台であって、
前記天板１の下面の補強桟３，３間及び前記天板１’の下面の補強桟３’，３’間を各々つなぐつなぎ桟１３，１３’に設けたプレート２６，２６’と、前記補強桟３，３間及び補強桟３’，３’間で天板１，１'の下面に各々取り付けた金具３０，３０’との間に、天板１側で1個又は複数個、天板１’側で1個又は複数個のコイルバネ式又は油圧ダンパー式の伸縮式開閉補助手段２７，２７’の各両端を各々ピン結合により回動可能に配置したことを特徴とする折り畳み式卓球台。
【請求項３】
一対の天板１，１'の接合部分下面側に内折れ式蝶番２、２を取り付けるとともに、天板１，１'の下面に各々一対ずつの補強桟３，３'を取り付け、一方側の補強桟３，３'及び他方側の補強桟３，３'が対向する部分に各々連結板４，４'を配置し、各々下端にキャスター５，５'を備えた合計４個の主脚６，６'を連結板４，４'に一端を連結した連結棒７，７’の他端に連結するとともに、前記各主脚６，６'の上端側を各々つなぎ桟１３，１３’によりつなぎ、前記一対ずつの補強桟３，３'に対して前記つなぎ桟１３，１３’と平行配置に、かつ、天板１，１'と接触しない状態に補助桟３３，３３’を連結し、これら各要素の所要部分が自在に回動するようにピン結合として前記天板１，１'を内側に折り畳むようにした折り畳み式卓球台であって、
前記天板１の下面の補強桟３，３間及び前記天板１’の下面の補強桟３’，３’間を各々つなぐつなぎ桟１３，１３’に設けたプレート２６，２６’と、前記補強桟３，３間及び補強桟３’，３’間で前記補助桟３３，３３’に各々設けたプレート３２，３２’との間に、天板１側で1個又は複数個、天板１’側で1個又は複数個のコイルバネ式又は油圧ダンパー式の伸縮式開閉補助手段２７，２７’の各両端を各々ピン結合により回動可能に配置したことを特徴とする折り畳み式卓球台。
【請求項４】
一対の天板１，１'の接合部分下面側に内折れ式蝶番２、２を取り付けるとともに、天板１，１'の下面に各々一対ずつの補強桟３，３'を取り付け、一方側の補強桟３，３'及び他方側の補強桟３，３'が対向する部分に各々連結板４，４'を配置し、各々下端にキャスター５，５'を備えた合計４個の主脚６，６'を連結板４，４'に一端を連結した連結棒７，７’の他端に連結するとともに、前記各主脚６，６'の上端側を各々つなぎ桟１３，１３’によりつなぎ、前記一対ずつの補強桟３，３'に対して前記つなぎ桟１３，１３’と平行配置に、かつ、天板１，１'と接触しない状態に補助桟３３，３３’を連結し、前記天板１，１’の下面において前記各補強桟３，３’の外側隅部位置に各々２個ずつの脚部３５，３５’を取り付け、これら各要素の所要部分が自在に回動するようにピン結合として前記天板１，１'を内側に折り畳むようにした折り畳み式卓球台であって、
前記天板１の下面の補強桟３，３間及び前記天板１’の下面の補強桟３’，３’間を各々つなぐつなぎ桟１３，１３’に設けたプレート２６，２６’と、前記補強桟３，３間及び補強桟３’，３’間で前記補助桟３３，３３’に各々設けたプレート３２，３２’との間に、天板１側で1個又は複数個、天板１’側で1個又は複数個のコイルバネ式又は油圧ダンパー式の伸縮式開閉補助手段２７，２７’の各両端を各々ピン結合により回動可能に配置したことを特徴とする折り畳み式卓球台。
【請求項５】
前記伸縮式開閉補助手段２７，２７’は、コイルバネ式又は油圧ダンパー式の構成のものに代替して、ガスダンパー式の構成のものを用いたものである請求項２乃至４のいずれかに記載の折り畳み式卓球台。
【考案の詳細な説明】
【技術分野】
【０００１】
本考案は、天板の折り畳みが簡略、容易で、構成部品が周囲の器物に接触して破損する等のおそれがなく、しかも、拡開状態における天板が不用意に折り畳まれたり、また折り畳み状態における天板が不用意に拡開されたりしない安全性に優れた折り畳み式卓球台に関するものである。
【背景技術】
【０００２】
従来、卓球台においては、様々な折り畳み方式が存在し、多種多様の折り畳み式卓球台が開発され、実用化されている。
【０００３】
また、近年、老齢化や安全性の観点より、従来ある折り畳み式卓球台にガスダンパー等の開閉補助装置を付加したものが提案され、簡便・安全に天板の開閉が可能な折り畳み式卓球台もが実用化されている。
【０００４】
特許文献１、２には、一般的に知られている折畳み式卓球台の脚部に、ガスダンパーを装着し、その開閉操作の簡便化を図るようにした折畳み式卓球台が提案されている。
【０００５】
しかしながら、折畳み式卓球台は、折畳み状態として狭い器具庫等に収納することが多く、特許文献１、２の折畳み式卓球台におけるような取り付け構造の場合には、その収納時に、他の卓球台等と接触し構成部品が破損してしまう可能性がある。
【０００６】
また、ガスダンパーを卓球台の折り畳み機構の要となる内折れ式蝶番や、主脚等の主要部材に直接取り付けると、その圧力により取り付け部位が破損した場合、部材交換が広範囲にわたることになり、非常に煩雑な手間を要することになる。
【０００７】
また、特許文献１、２における折畳み式卓球台のガスダンパーの場合、各天板における左右側面のいずれか一方で、かつ、両天板において異なる側面に配置する構造とされているが、両天板を均衡を保ちながら開閉することが望ましい折畳み式卓球台においては、両天板間のバランスが崩れ次第に各々の天板にズレが生じてくる可能性がある。
【０００８】
更に、当該折畳み式卓球台の場合、卓球台１台についてガスダンパーを２個使用することになるが、卓球台の重量を考慮すれば、２個使用の場合、必然的にガスダンパー１個当たりの制動力を発揮させるためのガス圧が高くなり、万が一破損した場合等においては急激にその効力を失うこととなり、大変危険である。
【０００９】
加えて、ガスダンパーは、周囲温度の影響を受けやすく特性が不安定であるという問題もある。
すなわち、ガスダンパー内におけるガスの圧力は高温時には高くなり、低温時には低くなるため、気温の変化によってガスダンパーが発揮する制動力又は補助力が変化することになる。また、ガスダンパーは、ガス漏れが発生すると特性不良となるが、ピストンロッドが露出しているため、塵等がピストンロッドに付着しやすく、その塵等によってピストンロッドやパッキンが傷付けられて、ガス漏れが発生し易いという問題もある。
【００１０】
特許文献３には、天板を回動可能に支持する脚部に、天板が収納姿勢から使用姿勢へ回動するときの速度を減速させるステー、ガスダンパーの圧力を押さえるためにロック装置等を設けた構成の卓球台が提案されている。
しかし、ステーを設けた構造では、折り畳み回転時に、部材同士が重なり合い、使用者の手、指等が回転部位に挟まれる危険性が懸念されるばかりでなく、バネ部が露出するこの方法は、使用者に対し危険が伴うおそれがある。また、ガスダンパーの圧力を押さえるためのロック装置は、使用の都度ロック装置を設定しなければならず、使用時において非常に不便なものである。
【００１１】
【特許文献１】特許第３４４３５７７号公報
【特許文献２】登録実用新案第３０９８２２７号公報
【特許文献３】特開２００６−１６７０７２号公報
【考案の開示】
【考案が解決しようとする課題】
【００１２】
本考案が解決しようとする問題点は、天板の折り畳みが簡略、容易であり、折り畳み状態で、伸縮式開閉補助手段等の構成部品が周囲の器物に接触して破損する等のおそれがなく、しかも、拡開状態における天板が不用意に折り畳まれたり、また折り畳み状態における天板が不用意に拡開されたりしない安全性に優れた折り畳み式卓球台が存在しない点である。
【課題を解決するための手段】
【００１３】
本考案の折り畳み式卓球台は、一対の天板１，１'の接合部分下面側に内折れ式蝶番２、２を取り付けるとともに、天板１，１'の下面に各々一対ずつの補強桟３，３'を取り付け、一方側の補強桟３，３'及び他方側の補強桟３，３'が対向する部分に各々連結板４，４'を配置し、各々下端にキャスター５，５'を備えた合計４個の主脚６，６'を連結板４，４'に一端を連結した連結棒７，７’の他端に連結するとともに、前記各主脚６，６'の上端側を各々つなぎ桟１３，１３’によりつなぎ、これら各要素の所要部分が自在に回動するようにピン結合として前記天板１，１'を内側に折り畳むようにした折り畳み式卓球台であって、前記天板１の下面の補強桟３，３間及び前記天板１’の下面の補強桟３’，３’間を各々つなぐつなぎ桟１３，１３’と、前記補強桟３，３間及び補強桟３’，３’間で天板１，１'の下面に各々取り付けた金具３０，３０’との間に、天板１，１’各々の側にそれぞれ1個又は複数個の伸縮式開閉補助手段２７，２７’を各々ピン結合により配置したことを最も主要な特徴とする。
【考案の効果】
【００１４】
請求項１、２記載の考案の折り畳み式卓球台によれば、天板１，１’の下面の補強桟３，３間及び前記天板１’の下面の補強桟３’，３’間を各々つなぐつなぎ桟１３，１３’と、前記補強桟３，３間及び補強桟３’，３’間で天板１，１'の下面に各々取り付けた金具３０，３０’との間に、天板１，１’各々の側に1個又は複数個ずつ、具体的には、天板１側に1個又は複数個、天板１’側に1個又は複数個の伸縮式開閉補助手段２７，２７’を各々ピン結合により配置したものであるから、この折り畳み式卓球台を折り畳み狭い器具庫等に収納した場合でも、伸縮式開閉補助手段２７，２７’等が隣接する他の折り畳み式卓球台等の器物と接触するおそれがほとんど無く極力破損を回避でき、しかも、拡開状態における天板が不用意に折り畳まれたり、また折り畳み状態における天板が不用意に拡開されたりしない安全性に優れた構造とすることができる。
【００１５】
また、伸縮式開閉補助手段２７，２７’が万が一破損した場合においても、支持プレート２６，２６’、金具３０，３０’から伸縮式開閉補助手段２７，２７’を取り外し速やかに交換することができ、修理・交換等のメンテナンスが容易に可能であり、使用者、メンテナンスを実施する者等の労力、経費節減に寄与する。
【００１６】
更に、金具３０，３０’を介して伸縮式開閉補助手段２７，２７’を天板１、１’の裏面に取り付けていることから、折り畳み式卓球台５０の命である天板１，１'に過度な負荷がかかることを防止できる。加えて、伸縮式開閉補助手段２７，２７’を少なくとも４個使用しているので、１個当たりの付勢力を従来例のように２個使用する場合に比べて低く抑えることができ、仮に伸縮式開閉補助手段２７，２７’の１つが何等かの原因で破損した場合においても、急激な操作力の変化を回避できるとともに、全体として折り畳み式卓球台５０の本体部分や天板１、１’の特定部分へ加わる負荷を低減することができる。
【００１７】
更に、伸縮式開閉補助手段２７，２７’をコイルバネ式又は油圧ダンパー式としているので、ガスの漏れ、温度差による圧力の変化といった心配が無く、長期にわたり安定した状態で使用が可能な折り畳み式卓球台を提供することができる。
【００１８】
請求項３記載の考案によれば、請求項２記載の考案とほぼ同様な効果を奏するとともに、伸縮式開閉補助手段２７，２７’による負荷は、補助桟３３，３３’を介して、補強桟３，３’へと分散されることになり、折り畳み式卓球台の生命線でもある天板１，１’への影響を緩和することが可能となる。
【００１９】
また、ガスダンパーを内折れ式蝶番２，２’、連結板４，４’等の折り畳みに関わる重要部位や、補強桟３，３’、主脚６，６’等の主要部材に、あるいは隣接する部位に取り付けを行なった従来例に比べ、伸縮式開閉補助手段２７，２７’の修理・交換等のメンテナンスが容易に可能であり、使用者・メンテナンスを実施する者の労力、経費節減に寄与することができ、更に、天板１，１’上面における卓球ボールの反発音や、卓球ボールのバウンドヘの影響を無くし又は緩和することが可能な折り畳み式卓球台を提供することができる。
【００２０】
請求項４記載の考案によれば、請求項３記載の考案と同様な効果を奏するとともに、天板１，１’の下面隅部領域の近傍に脚部３５，３５’が存在する構造の一般的な折り畳み式卓球台として活用することができる。
請求項５記載の考案によれば、ガスの漏れがなく、温度差による圧力の変化を考慮した安価なガスダンパー式の構成のものを前記伸縮式開閉補助手段２７，２７’として使用したもので、これによっても、請求項２乃至４記載の考案と同様な効果を奏する折り畳み式卓球台を実現できる。
【考案を実施するための最良の形態】
【００２１】
本考案は、天板の折り畳みが簡略、容易であり、折り畳み状態で伸縮式開閉補助手段等の構成部品が周囲の器物に接触して破損する等のおそれがなく、しかも、拡開状態における天板が不用意に折り畳まれたり、また折り畳み状態における天板が不用意に拡開されたりしない安全性に優れた折り畳み式卓球台を実現するという目的を有するものである。
本考案は、この目的を達成するために、一対の天板１，１'の接合部分下面側に内折れ式蝶番２、２を取り付けるとともに、天板１，１'の下面に各々一対ずつの補強桟３，３'を取り付け、一方側の補強桟３，３'及び他方側の補強桟３，３'が対向する部分に各々連結板４，４'を配置し、各々下端にキャスター５，５'を備えた合計４個の主脚６，６'を連結板４，４'に一端を連結した連結棒７，７’の他端に連結するとともに、前記各主脚６，６'の上端側を各々つなぎ桟１３，１３’によりつなぎ、これら各要素の所要部分が自在に回動するようにピン結合として前記天板１，１'を内側に折り畳むようにした折り畳み式卓球台であって、前記天板１の下面の補強桟３，３間及び前記天板１’の下面の補強桟３’，３’間を各々つなぐつなぎ桟１３，１３’に設けたプレート２６，２６’と、前記補強桟３，３間及び補強桟３’，３’間で天板１，１'の下面に各々取り付けた金具３０，３０’との間に、天板１側で1個又は複数個、天板１’側で1個又は複数個のコイルバネ式又は油圧ダンパー式の伸縮式開閉補助手段２７，２７’の各両端を各々ピン結合により回動可能に配置した構成により実現した。
【実施例】
【００２２】
以下に、本考案の実施例に係る折り畳み式卓球台について図面を参照して詳細に説明する。
【００２３】
（実施例１）
本考案の実施例１に係る折り畳み式卓球台５０について、図１乃至図８を参照して説明する。
【００２４】
本実施例１に係る折り畳み式卓球台５０は、図１、図２に示すように、各々四角形状の天板１，１'の下面の接合部分に、一対の内折れ式蝶番２、２を取り付けるとともに、天板１，１'の下面に各々一対ずつの補強桟３，３'を取り付け、更に、一方の補強桟３，３'及び他方の補強桟３，３'が対向する部分に各々連結板４，４'を配置し、更に、各々下端にキャスター５，５'を備えた合計４個の主脚６，６'と、連結棒７，７’を各々ピン８，８'、ピン９，９'、ピン１０，１０'、ピン１１，１１'及びピン１２によってこれら各部が自在に動くようにつなぎ、前記天板１，１'を内側に折り畳むことのできる構成としている。
【００２５】
また、図４に示すように、ボルト１４，１４'と一体成形されたゴム製支え具１５，１５'と、このゴム製支え具１５，１５'の回転を固定又は許容するロックナット２５，２５'を、天板１，１'の下面に各々取り付けた各々１個ずつの横桟２４，２４'を備え、この横桟２４，２４'に固着した一対ずつのナット２３，２３'に前記ボルト１４，１４'を取り付け、前記ゴム製支え具１５，１５'を天板１，１'の下面に接合するように構成している。
【００２６】
更に、図５に示すように、一方の天板１における前記主脚６同士の上端近傍間を連結するつなぎ桟１３の任意の位置に、ピン用の穴を加工したプレート２２，２２’を設け、同様に、他方の天板１’における前記主脚６’同士の上端近傍間を連結するつなぎ桟１３’の任意の位置にピン用の穴を加工したプレート２２’を設けている。
【００２７】
前記天板１，１'の接合部分（Ａ）と、主脚６，６'の間の天板下面に、ピン２１，２１'を備えたプレート１９，１９'を設けている。 また、図４に示すように、前記横桟２４，２４' と、収納状態から使用状態，使用状態から収納状態における動作中に天板下面に接触しないように各々構成された天板支持フレーム１６，１６'の一端とを連結し、天板支持フレーム１６，１６'の他端はピン１８，１８’を用いて連動棒２０，２０の下端に回動可能に連結し、この連動棒２０，２０’の上端はピン２１，２１’を用いて前記プレート１９，１９'に連結している。
【００２８】
本実施例１に係る折り畳み式卓球台５０は、更に、図６に示すように、前記天板１，１'の下面に設けた前記つなぎ桟１３，１３’の少なくとも２箇所から各々支持プレート２６，２６’（合計４個）を突設し、この各支持プレート２６，２６’に、天板１の下面に配置した２個、及び、天板１’の下面に配置した２個、合計４個の例えばコイルバネ式又は油圧ダンパー式の伸縮式開閉補助手段２７，２７’の各一端を各々ピン２８，２８’により回動可能に取り付けている。なお、この実施例においては、合計４個の例えばコイルバネ式又は油圧ダンパー式の伸縮式開閉補助手段２７，２７’を一例として説明しているが、伸縮式開閉補助手段としては、1個でも、複数個でも、いずれでも問題なく実施できる。
【００２９】
一方、各伸縮式開閉補助手段２７，２７’の各他端は、各々図８に示すように天板１、１’の裏面にビス等により固定されたＬ状の金具３０，３０’にピン３１，３１’を用いて回動可能に取り付けている。
【００３０】
すなわち、本実施例１に係る折り畳み式卓球台５０は、一方の天板１における前記補強桟３、３間、及び、他方の天板１における前記補強桟３’、３’間の内方位置であり、かつ、天板１，１'の下面内方略中央位置に前記伸縮式開閉補助手段２７，２７’を各々配置している。
【００３１】
前記支持プレート２６，２６’に替えて、図７に示すように、前記つなぎ桟１３，１３’に対して、側面逆Ｌ状に形成して前記つなぎ桟１３，１３’に接合配置する支持プレート２６ａ，２６ａ’を使用し、この支持プレート２６ａ，２６ａ’をピン２９，２９’を用いて着脱自在に取り付け、支持プレート２６ａ，２６ａ’に対して各伸縮式開閉補助手段２７，２７’の一端を各々ピン２８，２８’により回動可能に取り付ける構成とすることもできる。
【００３２】
この構成によれば、前記支持プレート２６ａ，２６ａ’が着脱自在であることから各伸縮式開閉補助手段２７，２７’の後からのメンテナンス時における利便性を図ることができる利点がある。
【００３３】
本実施例１に係る折り畳み式卓球台５０は、以上のような構成としたことにより、以下のように動作する。
【００３４】
本実施例１に係る折り畳み式卓球台５０を、図３に示す収納状態から図１に示す使用状態にする際には、天板１、１’の端部を持ち、引き下げる動作をする。これにより、まず連動棒２０，２０'がピン２１，２１'によって動かされ、連動棒２０，２０'の下方の端部側のピン１８，１８'にその動きが伝達される。
【００３５】
これに伴い、天板支持フレーム１６，１６'が前記ピン２２，２２'を中心とした回動動作をはじめ、天板１，１'の水平状態への動きに合わせて図１、図２に示す使用状態に至ったときに、前記ゴム製支え具１５，１５'により主脚６，６'より外側の部分（図１における天板１，１'の右、左への突出部分の下面）が安定した状態で支えられる。
【００３６】
また、このときの前記天板１，１'の水平に対する若干の狂いは、前記ボルト１４，１４'と一体成形されたゴム製支え具１５，１５'の高さ位置を前記ロックナット２５，２５'を使用し、またゴム製支え具１５，１５'を回すことで容易に調節し、天板１，１'の上面を卓球遊戯に必須の水平状態とすることができる。すなわち、ロック装置等を用いなくとも、前記天板１，１'を極めて簡略に水平状態とすることができる。
【００３７】
また、万が一、天板１，１'の上面における前記主脚６，６'より外側の部分に、使用者が手等を付いて重量がかかっても，天板支持フレーム１６，１６'のピン１７からピン１８、ピン１７'から１８'までの長さと、前記連動棒２０，２０'のピン２１からピン１８、ピン２１'からピン１８'までの長さとを計算によって出された適切な長さに設定することで、使用状態において天板支持フレーム１６，１６'に取り付けられたゴム製支え具１５，１５'は図１の使用状態における位置より下方に動く動作はしなくなり、天板１，１'下面を支持し続け安定した状態を保つことができる。
【００３８】
また、図１の使用状態から図３の収納状態にする際には、図１の天板１又は天板１'の端部を持ち、持ち上げる動作をすることにより、収納状態から使用状態にする場合と同じ作用がおこり図３に示す収納状態に至ったときには前記天板支持フレーム１６，１６'は天板１，１'に沿ってコンパクトに収納される。
【００３９】
次に、本実施例１に係る折り畳み式卓球台５０の前記伸縮式開閉補助手段２７，２７’に関する動作について説明する。
【００４０】
既に市販されている折り畳み式の卓球台には、ダンパー等の緩衝装置を破損しやすい位置に取り付けている構造や、使用者にとって危険な構造、更には使用者にとって危険な位置（指や手をはさみやすい回転式、また、バネが露出しているもの）への取り付け例が見られるが、本実施例１に係る折り畳み式卓球台５０によれば、上述したように、一方の天板１における前記補強桟３、３間、及び、他方の天板１における前記補強桟３’、３’間の内方位置であり、かつ、天板１，１'の下面内方略中央位置に前記伸縮式開閉補助手段２７，２７’を各々配置しているので、この折り畳み式卓球台５０を折り畳み狭い器具庫等に収納した場合においても隣接する他の折り畳み式卓球台５０と接触するおそれがほとんど無く破損しにくい安全な構造とすることができる。
【００４１】
また、前記伸縮式開閉補助手段２７，２７’は、天板１、１’等への取り付け部位に当然に負荷（コイルバネ式の伸縮式開閉補助手段２７，２７’を用いた場合におけるコイルバネ付勢力）がかかるが、本実施例１に係る折り畳み式卓球台５０によれば、上述したように、前記伸縮式開閉補助手段２７，２７’を前記つなぎ桟１３，１３’から突設した支持プレート２６，２６’と、天板１、１’の裏面にビス等により固定されたＬ状の金具３０，３０’との間に各々配置し、負荷を分散させている。
【００４２】
従って、前記伸縮式開閉補助手段２７，２７’が万が一破損した場合においても、前記支持プレート２６，２６’、前記金具３０，３０’から前記伸縮式開閉補助手段２７，２７’を取り外し速やかに交換することができ、修理・交換等のメンテナンスが容易に可能であり、使用者、メンテナンスを実施する者等の労力、経費節減に寄与する。
【００４３】
また、前記金具３０，３０’を介して伸縮式開閉補助手段２７，２７’を天板１、１’の裏面に取り付けていることから、折り畳み式卓球台５０の命である天板１，１'に過度な負荷がかかることがない。
【００４４】
更に、この実施例のように前記伸縮式開閉補助手段２７，２７’を例えば４個使用した構成の場合、仮に伸縮式開閉補助手段２７，２７’の１つが何等かの原因で破損等した場合、急激な操作力の変化を回避できるとともに、１個当たりの付勢力を、伸縮式開閉補助手段２７，２７’を２個使用する場合に比べて、低く抑えることができ、これにより、全体として折り畳み式卓球台５０の本体部分や天板１、１’の特定部分へ加わる負荷を低減することができる。
なお、この実施例においては、合計４個の伸縮式開閉補助手段２７，２７’を一例として説明しているが、伸縮式開閉補助手段としては、1個でも、複数個でも、いずれでも問題なく実施できる。
【００４５】
本実施例１に係る折り畳み式卓球台５０においては、前記伸縮式開閉補助手段２７，２７’をコイルバネ式又は油圧ダンパー式としているので、ガスの漏れ、温度差による圧力の変化といった心配が無く、長期にわたり安定した状態で使用が可能なものとすることができる。
【００４６】
なお、ガスの漏れがなく、温度差による圧力の変化を考慮したものであれば、安価に入手可能なガスダンパーを前記伸縮式開閉補助手段２７，２７’として使用することも可能である。
【００４７】
本実施例１に係る折り畳み式卓球台５０は、天板１、１’の下方両端側に構成部品が存在しないことから、車椅子を使用してのプレーや、足を天板１、１’の下方に踏み込んでプレーするときに利便性がある。
【００４８】
（実施例２）
次に、図９乃至図１３を参照して本考案の実施例２に係る折り畳み式卓球台５０Ａについて説明する。なお、本実施例２に係る折り畳み式卓球台５０Ａにおいて、実施例１に係る折り畳み式卓球台５０と同一の要素には同一の符号を付し、その詳細説明は省略する。
【００４９】
本実施例２に係る折り畳み式卓球台５０Ａは、実施例１に係る折り畳み式卓球台５０と略同様な構成であるが、図９、図１２、図１３に示すように、天板１、１’の下面において、前記各つなぎ桟１３・１３’と所定の間隔を隔て、かつ、前記補強桟３，３’に対して各々平行配置に天板１、１’の下面と接触しない状態で補助桟３３，３３’を配置し、これら補助桟３３，３３’の両端部をピン３４，３４’を用いて補強桟３，３’に連結するとともに、補助桟３３，３３’から各々２個ずつのプレート３２，３２’を突設して、前記伸縮式開閉補助手段２７，２７’の他端をピン３１，３１’を用いてプレート３２，３２’に回動可能に連結したものである。
なお、伸縮式開閉補助手段２７，２７’の設置個数は、1個でも、複数個でも、いずれでも問題なく実施できる。
【００５０】
また、前記伸縮式開閉補助手段２７，２７’の一端は、実施例１の場合と同様、前記支持プレート２６，２６’に各々ピン２８，２８’により回動可能に取り付けている。
【００５１】
本実施例２に係る折り畳み式卓球台５０Ａによれば、畳み式卓球台５０Ａを上述した構成としたことにより、前記伸縮式開閉補助手段２７，２７’による負荷は、前記補助桟３３，３３’を介して、補強桟３，３’へと分散されることになり、折り畳み式卓球台５０Ａの生命線でもある天板１，１’への影響を緩和することが可能となる。
【００５２】
これにより、内折れ式蝶番２，２’、連結板４，４’等の折り畳みに関わる重要部位や、補強桟３，３’、主脚６，６’等の主要部材に、あるいは隣接する部位に取り付けを行なった場合に比べ、修理・交換等のメンテナンスが容易に可能であり、使用者・メンテナンスを実施する者の労力、経費節減に寄与する。
【００５３】
また、本実施例２に係る折り畳み式卓球台５０Ａの伸縮式開閉補助手段２７，２７’の取り付け構造とをした場合には、図１３に示すように、前記補助桟３３，３３’は天板１，１’の裏面に密接していないため、天板１，１’上面における卓球ボールの反発音や、卓球ボールのバウンドヘの影響を無くし又は緩和することが可能となる。
【００５４】
本実施例２に係る折り畳み式卓球台５０Ａは、天板１、１’の下方両端側に構成部品が存在しないことから、車椅子を使用してのプレーや、足を天板１、１’の下方に踏み込んでプレーするときに利便性がある。
【００５５】
（実施例３）
次に、図１４、図１５を参照して本考案の実施例３に係る折り畳み式卓球台５０Ｂについて説明する。なお、本実施例３に係る折り畳み式卓球台５０Ｂにおいて、実施例２に係る折り畳み式卓球台５０Ａと同一の要素には同一の符号を付し、その詳細説明は省略する。
【００５６】
本実施例３に係る折り畳み式卓球台５０Ｂは、実施例２に係る折り畳み式卓球台５０Ａの構成に加えて、天板１，１’の下面において前記各補強桟３，３’の外側隅部の近傍位置に各々２個ずつの脚部３５，３５’、支持片３６，３６’を折り畳み可能に取り付けたものである。
なお、伸縮式開閉補助手段２７，２７’の設置個数は、1個でも、複数個でも、いずれでも問題なく実施できる。
【００５７】
本実施例３に係る折り畳み式卓球台５０Ｂによれば、実施例２に係る折り畳み式卓球台５０Ａの場合と同様な作用、効果を奏するとともに、天板１，１’の下面隅部領域の近傍に脚部３５，３５’が存在する構造の一般的な折り畳み式卓球台５０Ｂとして活用することができる。
【産業上の利用可能性】
【００５８】
本考案は、折り畳み式卓球台に適用する場合の他、例えば、折り畳み式テーブル、折り畳み式机、折り畳み式展示台等に関して広範に適用できる。
【図面の簡単な説明】
【００５９】
【図１】本考案の実施例１に係る折り畳み式卓球台の天板の裏側から見た裏面図である。
【図２】図１のＡ−Ｂ線断面及びＣ−Ｄ線断面を合体した概略断面図である。
【図３】本実施例１に係る折り畳み式卓球台を折り畳み状態とした場合の一方の天板裏面側から見た図である。
【図４】本実施例１に係る折り畳み式卓球台における桟、天板支持フレーム、ボルト、ナット、ロックナット及びゴム製支え具を示す拡大斜視図である。
【図５】本実施例１に係る折り畳み式卓球台における主脚、つなぎ桟、プレート、天板支持フレーム及びピンを示す拡大斜視図である。
【図６】本実施例に係る折り畳み式卓球台におけるつなぎ桟、支持プレート、伸縮式開閉補助手段及びピンを示す拡大斜視図である。
【図７】本実施例に係る折り畳み式卓球台におけるつなぎ桟、変形例の支持プレート、伸縮式開閉補助手段及びピンを示す拡大斜視図である。
【図８】本実施例１に係る折り畳み式卓球台における天板、金具及びピンを示す拡大斜視図である。
【図９】本考案の実施例２に係る折り畳み式卓球台の天板の裏側から見た裏面図である。
【図１０】図９のＥ−Ｆ線断面及びＧ−Ｈ線断面を合体した概略断面図である。
【図１１】本実施例２に係る折り畳み式卓球台の折り畳み状態の側面図である。
【図１２】本実施例２に係る折り畳み式卓球台を折り畳み状態とした場合の一方の天板裏面側から見た図である。
【図１３】本実施例２に係る折り畳み式卓球台における天板、補強桟、補助桟、プレート、伸縮式開閉補助手段及びピンを示す拡大斜視図である。
【図１４】本考案の実施例３に係る脚部を備えた折り畳み式卓球台の開いた状態の正面図である。
【図１５】本実施例３に係る折り畳み式卓球台を折り畳み状態とした場合の一方の天板裏面側から見た図である。
【符号の説明】
【００６０】
１・１’        天板
２・２’        内折れ式蝶番
３・３’        補強桟
４・４’        連結板
５・５’        キャスター
６・６’        主脚
７・７’        連結棒
８・８’        ピン
９・９’        ピン
１０・１０’      ピン
１１・１１’      ピン
１２              ピン
１３・１３’      つなぎ桟
１４・１４’      ボルト
１５・１５’      ゴム製支え具
１６・１６’      天板支持フレーム
１７・１７’      ピン
１８・１８’      ピン
１９・１９’      天板下面取り付けプレート
２０・２０’      連動棒
２１・２１’      ピン
２２・２２’      プレート
２３・２３’      ナット
２４・２４’      桟
２５・２５’      ロックナット
２６・２６’      支持プレート
２６ａ・２６ａ’  支持プレート
２７・２７’      伸縮式開閉補助手段
２８・２８’      ピン
２９・２９’      ピン
３０・３０’      金具
３１・３１’      ピン
３２・３２’      プレート
３３・３３’      補助桟
３４・３４’      ピン
３５              脚部
３６，３６’      支持片
５０              折り畳み式卓球台
５０Ａ            折り畳み式卓球台
５０Ｂ            折り畳み式卓球台
【図１】
0003128780.tif 000003
【図２】
0003128780.tif 000004
【図３】
0003128780.tif 000005
【図４】
0003128780.tif 000006
【図５】
0003128780.tif 000007
【図６】
0003128780.tif 000008
【図７】
0003128780.tif 000009
【図８】
0003128780.tif 000010
【図９】
0003128780.tif 000011
【図１０】
0003128780.tif 000012
【図１１】
0003128780.tif 000013
【図１２】
0003128780.tif 000014
【図１３】
0003128780.tif 000015
【図１４】
0003128780.tif 000016
【図１５】
0003128780.tif 000017